(57)【要約】【課題】カウンタウェイトの搬送レールにおいて、カウンタウェイトの搬送作業時の安全性及び作業効率を向上させることである。【解決手段】搬送レール３０は、枠体と錘とが一体化されたカウンタウェイトを昇降路１１内と乗場２２との間で搬送するために用いられる。搬送レール３０は、曲面状で長尺な底板３２と、底板の上側に連結されたガイド壁３３とを有する２つのレール本体３１ａ、３１ｂと、２つのレール本体の長手方向複数位置を連結する複数の柱部３５とを含む。レール本体の長手方向一端部がカウンタウェイトのガイドレールに固定され、レール本体の長手方向他端部が乗場の床面に配置された状態で、レール本体が、下側に向かうほど水平方向に対する底板の傾斜角度が大きくなるように傾斜することにより、左右方向において、２つのレール本体の間隔がガイドレール側から乗場側に向かって小さくなる。【選択図】図３Ａ
2017124888.tif 000002
【特許請求の範囲】
【請求項１】
エレベータにおいて、枠体と錘とが一体化されたカウンタウェイトを昇降路内と乗場との間で搬送するために用いられるカウンタウェイトの搬送レールであって、
曲面状で長尺な底板と、前記底板の上側に連結されたガイド壁とをそれぞれ有する２つのレール本体と、
前記２つのレール本体の長手方向複数位置を連結する複数の柱部とを備え、
前記レール本体のそれぞれの長手方向一端部が前記カウンタウェイトのガイドレールに固定され、前記レール本体のそれぞれにおいて、前記長手方向一端部より下側に位置する長手方向他端部が前記乗場の床面に配置された状態で、前記レール本体のそれぞれが、下側に向かうほど水平方向に対する前記底板の傾斜角度が大きくなるように傾斜することにより、前記乗場の出入り口から前記昇降路側に見た場合の左右方向において、前記２つのレール本体の間隔が前記ガイドレール側から前記乗場側に向かって小さくなる、カウンタウェイトの搬送レール。
【請求項２】
請求項１に記載のカウンタウェイトの搬送レールにおいて、
前記レール本体の前記長手方向一端部において、長手方向に離れた位置にネジ結合された２つのクリップ部材を含み、
前記ガイドレールの乗場側端部及び反乗場側端部が、前記２つのクリップ部材と前記レール本体とで挟まれることにより、前記レール本体の前記長手方向一端部が前記ガイドレールに固定される、カウンタウェイトの搬送レール。
【請求項３】
請求項１に記載のカウンタウェイトの搬送レールを用いて前記カウンタウェイトを前記昇降路内と前記乗場との間で搬送するカウンタウェイト搬送方法であって、
前記カウンタウェイトを揚重装置で固定部分に接続し、かつ、前記カウンタウェイトの前記左右方向両端部で、上端部と下端部とにガイドローラを取り付け、かつ、前記搬送レールの上端部を前記ガイドレールに固定し、前記搬送レールの下端部を前記乗場の床面に配置する準備ステップと、
前記カウンタウェイトが前記揚重装置に接続され、前記搬送レールの前記レール本体上に前記カウンタウェイトの前記ガイドローラが乗った状態で、前記ガイドレール上で前記ガイドローラが転がるように、前記カウンタウェイトを前記レール本体に沿って前記昇降路内から前記乗場側へ、または前記乗場から前記昇降路内へ誘導する誘導ステップとを含む、カウンタウェイト搬送方法。
【請求項４】
請求項３に記載のカウンタウェイト搬送方法において、
前記２つのレール本体のうち、高い側の前記レール本体が上側レール本体であり、低い側の前記レール本体が下側レール本体であり、
前記準備ステップは、前記上側レール本体に配置される前記カウンタウェイトの前記左右方向一端部に前記ガイドローラとして、前記上側レール本体の前記底板上で転がる第１ガイドローラを取り付け、前記下側レール本体に配置される前記カウンタウェイトの前記左右方向他端部に前記ガイドローラとして、前記下側レール本体の前記底板上で転がる第２ガイドローラと、前記下側レール本体の前記ガイド壁上で転がる第３ガイドローラとを取り付ける、カウンタウェイト搬送方法。
【発明の詳細な説明】
【技術分野】
【０００１】
本発明は、エレベータにおいて、枠体と錘とが一体化されたカウンタウェイトを昇降路内と乗場との間で搬送するために用いられるカウンタウェイトの搬送レールと、カウンタウェイト搬送方法に関する。
【背景技術】
【０００２】
エレベータでは、乗りかごと、カウンタウェイトとが主ロープで連結され、機械室の巻き上げ機の駆動によって、乗りかごが昇降移動する。近年、カウンタウェイトの枠体の強度を高くすることが法令等から要求されている。これにより、既存のカウンタウェイトを新規のカウンタウェイトに交換することが適切なときに行われている。
【０００３】
特許文献１には、エレベータのカウンタウェイトの取替方法において、昇降路の最上部に設置した揚重装置でカウンタウェイトを昇降路の底部まで下ろし、カウンタウェイトを解体撤去する方法が記載されている。
【先行技術文献】
【特許文献】
【０００４】
【特許文献１】特開平１１−３４９２５５号公報
【発明の概要】
【発明が解決しようとする課題】
【０００５】
既存のカウンタウェイトを新規のものに交換するとき、まず既存のカウンタウェイトを昇降路内から乗場側に搬出する。カウンタウェイトは、重量がある（例えば３００kgの）枠体の内側に、１つずつの重量がある（例えば２５〜３０ｋｇの）複数の錘が一体化されている。これにより、従来は、昇降路内のピットに足場を組んだ後に、足場に乗った作業者が、吊り下げられたカウンタウェイトの枠体から錘を１つずつ取り外し、枠体からすべての錘を取り外した後に、昇降路内から枠体を搬出している。
【０００６】
また、枠体の横方向である左右方向長さは、一般的に、乗場出入り口の左右方向寸法（間口）より大きい。これにより、枠体を乗場出入り口から搬出するときには、作業者が枠体を左右方向に対し傾けて乗場出入り口に通している。このような作業は、錘の取り外し時に手を滑らせたり、錘の間に指を挟んだり、無理な体勢で錘を搬送するなどにより体を痛める可能性がある。また、枠体を傾ける作業は、手間を有し、かつ、乗場出入り口に枠体が衝突しないように多大な注意を払う必要がある。このような作業は、作業時間が長くなる要因となる。これにより、作業時の安全性、及び作業効率を向上する面から改善の余地がある。特許文献１に記載された構成では、昇降路内でカウンタウェイトを解体し、それを上側の乗場出入り口まで運び出す手間が必要であるので、安全性及び作業効率の向上の面から改良の余地がある。
【０００７】
本発明に係るカウンタウェイトの搬送レール及びカウンタウェイト搬送方法は、カウンタウェイトの搬送作業時の安全性及び作業効率を向上させることを目的とする。
【課題を解決するための手段】
【０００８】
本発明に係るカウンタウェイトの搬送レールは、エレベータにおいて、枠体と錘とが一体化されたカウンタウェイトを昇降路内と乗場との間で搬送するために用いられるカウンタウェイトの搬送レールであって、曲面状で長尺な底板と、前記底板の上側に連結されたガイド壁とをそれぞれ有する２つのレール本体と、前記２つのレール本体の長手方向複数位置を連結する複数の柱部とを備える。そして、本発明に係るカウンタウェイトの搬送レールは、前記レール本体のそれぞれの長手方向一端部が前記カウンタウェイトのガイドレールに固定され、前記レール本体のそれぞれにおいて、前記長手方向一端部より下側に位置する長手方向他端部が前記乗場の床面に配置された状態で、前記レール本体のそれぞれが、下側に向かうほど水平方向に対する前記底板の傾斜角度が大きくなるように傾斜することにより、前記乗場の出入り口から前記昇降路側に見た場合の左右方向において、前記２つのレール本体の間隔が前記ガイドレール側から前記乗場側に向かって小さくなる。
【０００９】
また、本発明に係るカウンタウェイト搬送方法は、本発明に係るカウンタウェイトの搬送レールを用いて前記カウンタウェイトを前記昇降路内と前記乗場との間で搬送するカウンタウェイト搬送方法であって、前記カウンタウェイトを揚重装置で固定部分に接続し、かつ、前記カウンタウェイトの前記左右方向両端部で、上端部と下端部とにガイドローラを取り付け、かつ、前記搬送レールの上端部を前記ガイドレールに固定し、前記搬送レールの下端部を前記乗場の床面に配置する準備ステップと、前記カウンタウェイトが前記揚重装置に接続され、前記搬送レールの前記レール本体上に前記カウンタウェイトの前記ガイドローラが乗った状態で、前記ガイドレール上で前記ガイドローラが転がるように、前記カウンタウェイトを前記レール本体に沿って前記昇降路内から前記乗場側へ、または前記乗場から前記昇降路内へ誘導する誘導ステップとを含む。
【発明の効果】
【００１０】
本発明に係るカウンタウェイトの搬送レール及びカウンタウェイト搬送方法は、カウンタウェイトを昇降路内と乗場との間で搬送するときに、枠体から錘を取り外した状態で搬送する必要がない。これにより、昇降路内で枠体から錘を取り外したり、枠体に錘を組み込む必要がない。また、枠体を乗場出入り口に通すときに、作業者が手作業で枠体を傾ける必要がない。このため、カウンタウェイトの搬送作業時の安全性及び作業効率を向上させることができる。
【図面の簡単な説明】
【００１１】
【図１】本発明に係る実施の形態のカウンタウェイトの搬送レールを適用するエレベータにおいて、搬送レールを設置し、かつ、揚重装置をカウンタウェイトに接続した状態を示す断面図である。
【図２】図１に示すカウンタウェイトを、図１の右側から左側に見た図である。
【図３Ａ】搬送レールがエレベータに設置された状態を模式的に示す斜視図である。
【図３Ｂ】乗場側の壁を取り除いた状態で、搬送レールを乗場において斜め上側から斜め下側に見た斜視図である。
【図４】搬送レールの側面図である。
【図５】図４のＡ−Ａ断面図である。
【図６】ガイドレール側から乗場側に向かって搬送レールが傾く状態を、複数の断面で示す図である。
【図７】図４のＢ部拡大図である。
【図８】図７のＣ−Ｃ断面図である。
【図９】実施形態の搬送レールで搬送する搬送時のカウンタウェイトにおいて、案内部材を取り付けた状態を示す図である。
【図１０】図９の下側から上側に見た図である。
【図１１】図９に示すカウンタウェイトにおいて、搬送時に上側に配置される第１案内部材の斜視図である。
【図１２】図９に示すカウンタウェイトにおいて、搬送時に下側に配置される第２案内部材の斜視図である。
【図１３】案内部材の別例を示している図１０に対応する図である。
【図１４】昇降路から乗場へカウンタウェイトを搬出するときにおいて、搬送レールにカウンタウェイトを載せたときの初期状態を示す図である。
【図１５】カウンタウェイトが昇降路から乗場へ搬出された状態を示す図である。
【発明を実施するための形態】
【００１２】
以下、図面を用いて本発明の実施形態を説明する。以下で説明する形状、数量、材質などは、説明のための例示であって、搬送レールを適用するエレベータの仕様により適宜変更が可能である。以下ではすべての図面において同等の要素には同一の符号を付して説明する。また、本文中の説明においては、必要に応じてそれ以前に述べた符号を用いるものとする。
【００１３】
図１は、実施形態のカウンタウェイトの搬送レールを適用するエレベータ１０において、搬送レール３０を設置し、かつ、揚重装置１２をカウンタウェイト１３に接続した状態を示す断面図である。
【００１４】
エレベータ１０は、昇降路１１内で主ロープ１６によって乗りかご１７に連結されたカウンタウェイト１３を備える。主ロープ１６は、建物の上部の機械室１８に配置される巻き上げ機１９によって駆動され、乗りかご１７及びカウンタウェイト１３が昇降移動する。乗りかご１７は、かごガイドレール２０によって上下方向に案内される。カウンタウェイト１３は、カウンタレール２１によって上下方向に案内される。
【００１５】
図２は、カウンタウェイト１３を、図１の右側から左側に見た図である。図１、図２では、エレベータ１０の乗場２２（図１）から昇降路１１を見た場合の左右方向をＸで示し、奥行き方向をＹで示し、Ｘ、Ｙに対し直交する上下方向をＺで示す。昇降路１１の底部であるピット１１ａには、左右方向Ｘに離れて２本のカウンタレール２１が立設される。カウンタレール２１は、カウンタウェイト１３のガイドレールに相当する。
【００１６】
カウンタウェイト１３は、２本のカウンタレール２１の間に配置され、ガイドシュー２３によって各カウンタレール２１に昇降可能に支持される。具体的には、カウンタウェイト１３は、略矩形状の枠体１４と、複数の錘１５とを含み、枠体１４と複数の錘１５とが一体化されている。錘１５は、直方体状であり、枠体１４の内部に上下に積層される。枠体１４は、鉄等の金属により形成される。錘１５は、鉄等の金属、またはコンクリートにより形成される。
【００１７】
枠体１４の上端面の左右方向Ｘ両端部と、下端面の左右方向Ｘ両端部とには、ガイドシュー２３がボルト（図示せず）によって固定される。ガイドシュー２３は、左右方向Ｘの外側に向く面に上下方向の溝（図示せず）が形成され、その溝内にカウンタレール２１の上下方向の板部２１ａが挿入される。これによって、カウンタウェイト１３の昇降移動が案内される。カウンタウェイト１３の上端部には複数の主ロープ１６（図１）が、ロッドを有するロープソケット（図示せず）を介して接続される。図２では主ロープの図示を省略する。
【００１８】
このようなカウンタウェイト１３を有する構成では、既設のカウンタウェイト１３を新規のカウンタウェイトに交換する場合に、既設のカウンタウェイト１３を昇降路１１内から乗場２２側に搬出する必要がある。このとき、実施形態では、次に説明する搬送レール３０を用いる。
【００１９】
また、カウンタウェイト１３の左右方向Ｘにおける長さは、一般的に、乗場出入り口２４の左右方向Ｘ長さより大きい。例えば、カウンタウェイト１３の左右方向Ｘ長さが９００ｍｍである場合に、乗場出入り口２４の左右方向Ｘ長さは８００ｍｍである。カウンタウェイト１３の左右方向Ｘ長さが１２００ｍｍである場合に、乗場出入り口２４の左右方向Ｘ長さは１０００ｍｍである。これにより、既設のカウンタウェイト１３を乗場出入り口２４から搬出するときには、カウンタウェイト１３を水平方向である左右方向Ｘに対し斜めに傾けて乗場出入り口２４を通過させる必要がある。搬送レール３０は、搬送作業性を高めるために、カウンタウェイト１３を乗場出入り口２４において斜めに傾けて通過させる。
【００２０】
図１は、カウンタウェイト１３の乗場２２への搬出時の準備ステップにおける状態を示している。図３Ａから図８を用いて搬送レール３０を説明する。
【００２１】
図３Ａは、搬送レール３０がエレベータに設置された状態を模式的に示す斜視図である。図３Ｂは、乗場２２側の壁を取り除いた状態で、搬送レール３０を乗場２２において斜め上側から斜め下側に見た斜視図である。図４は、搬送レール３０の側面図である。図５は、図４のＡ−Ａ断面図である。
【００２２】
搬送レール３０は、枠体１４と錘１５とが一体化されたカウンタウェイト１３（図２）を、昇降路１１内と乗場２２との間で搬送するために用いられる。搬送レール３０は、左右方向Ｘに離れた２つのレール本体３１ａ、３１ｂと、複数の柱部３５とを含む。搬送レール３０の上端部が昇降路１１内の２本のカウンタレール２１に固定され、搬送レール３０の下端部が乗場２２の床面に配置される。搬送レール３０は、梯子が下側に向かって徐々に水平方向に対し斜めに傾くように曲げられた形状を有する。
【００２３】
具体的には、搬送レール３０の各レール本体３１ａ、３１ｂは、長尺な曲線形状を有するものであり、曲面状で長尺な底板３２と、底板３２の左右方向Ｘの外側端部から上側の略直角方向に連結された曲面状のガイド壁３３とを有する。図１ではレール本体３１ａ、３１ｂを模式的に直線状で示している。ガイド壁３３は、底板３２の長手方向一端部（図３Ａの上端部）から長手方向中間部にわたる部分に形成される。搬送レール３０の長手方向他端部（図３Ａの下端部）には、底板３２及びガイド壁３３のうち、底板３２のみが形成される。レール本体３１ａ、３１ｂは、図３Ｂに示すように斜め上側から斜め下側に見た状態と、図４に示すように左側から右側に見た状態とのそれぞれで、円弧状に曲がっている。そして、レール本体３１ａ、３１ｂを奥行方向Ｙに対し直交する平面で切断した場合の断面形状において、２つのレール本体３１ａ、３１ｂの底板３２の上面が一直線上に位置する。そして、レール本体３１ａ、３１ｂの長手方向一端部から長手方向他端に向かうにしたがって、その直線の左右方向Ｘに対する傾きが徐々に大きくなっている。
【００２４】
また、図４に示すように、側面視で２つのレール本体３１ａ、３１ｂにおいて、それぞれの曲り度合いは、右側のレール本体３１ａで左側のレール本体３１ｂより大きくなっている。複数の柱部３５は、２つのレール本体３１ａ、３１ｂの長手方向複数位置を連結する。各柱部３５は、例えば平板状である。レール本体３１ａ、３１ｂ及び柱部３５は、鉄等の金属により形成される。
【００２５】
図６は、カウンタレール２１側から乗場２２側に向かって搬送レール３０が傾く状態を、複数の断面で示す図である。図６（ａ）は、図４のＥ−Ｅ断面に相当し、図６（ｂ）は、図４のＦ−Ｆ断面に相当し、図６（ｃ）は、図４のＡ−Ａ断面に相当する。２つのレール本体３１ａ、３１ｂは、図６（ａ）に示すように、上端部で底板３２の上面が水平方向に沿っている。そして、下側に向かうほど右側のレール本体３１ｂが左側のレール本体３１ａより下側に位置するように傾いて、上側から下側に向かって搬送レール３０の傾きが徐々に大きくなっている。また、搬送レール３０の傾きに関係なく、２つのレール本体３１ａ、３１ｂのガイド壁３３の間隔はほぼ一定である。そして、搬送レール３０の上端部での左右方向長さＤａよりも乗場出入り口２４での搬送レール３０の左右方向長さＤｂが小さくなっている。
【００２６】
また、各レール本体３１ａ、３１ｂの上端部である長手方向一端部は、レール固定部３６（図４）によってカウンタレール２１の上下方向Ｚ中間部に固定される。図７は、図４のＢ部拡大図である。図８は、図７のＣ−Ｃ断面図である。
【００２７】
レール固定部３６は、ガイド壁３３の長手方向一端部において、平板状の部分を長手方向と一致する奥行方向Ｙに伸ばすように形成された平板状の板部３７と、２つのクリップ部材３８とを含んでいる。より具体的には、板部３７の左右方向Ｘ内側面の長手方向に離れた奥行方向Ｙの両端部に、２つのクリップ部材３８がボルト及びナットでネジ結合される。そして、クリップ部材３８の先端に形成された鍔部３８ａと板部３７とで、カウンタレール２１において、カウンタウェイト１３（図２）より下側部分の乗場側端部（図７の右端部）及び反乗場側端部（図７の左端部）である奥行方向Ｙ両端部が挟まれる。これによりレール固定部３６が形成される。そして、左右方向Ｘ両側のレール本体３１ａ、３１ｂが、レール固定部３６によって、２つのカウンタレール２１の上下方向Ｚ中間部にそれぞれ固定される。
【００２８】
また、レール本体３１ａ、３１ｂのそれぞれにおいて、長手方向一端部より下側に位置する長手方向他端部が乗場２２の床面に配置される。そして、この状態で、２つのレール本体３１ａ、３１ｂのそれぞれが、下側に向かうほど水平方向に対する底板３２の傾斜角度が大きくなるように傾斜する。これにより、左右方向Ｘにおいて、２つのレール本体３１ａ、３１ｂの間隔がカウンタレール２１側から乗場２２側に向かって徐々に小さくなる。ガイド壁３３の最下端は、乗場出入り口２４とほぼ同じ位置、または乗場２２内に配置される。また、レール本体３１ａ、３１ｂのそれぞれの長手方向他端部と乗場２２の床面との間には、ゴム等で形成される緩衝材６０ａ、６０ｂ（図３Ｂ、図４）が配置される。これにより、レール本体３１ａ、３１ｂの乗場２２上での位置ずれと、乗場２２の床面の損傷とが防止される。
【００２９】
２つのレール本体３１ａ、３１ｂのうち、左側のレール本体３１ａは高い側のレール本体３１ａであるので、以下、上側レール本体３１ａと記載する。２つのレール本体３１ａ、３１ｂのうち、右側のレール本体３１ｂは低い側のレール本体３１ｂであるので、以下、下側レール本体３１ｂと記載する。ガイド壁３３は、底板３２の長手方向のほぼ全長にわたって形成されてもよい。また、図４に二点鎖線で示すように、昇降路１１のピット１１ａ上に複数の支持柱６１を立設するように固定し、各レール本体３１ａ、３１ｂを下側から支持柱６１で支えることもできる。
【００３０】
また、図５に示すように、乗場出入り口２４の左右方向寸法Ｄ１より乗場出入り口２４での搬送レール３０の左右方向長さＤ２が小さくなるようにする必要がある。このために、上側レール本体３１ａが下側レール本体３１ｂより所定の高さＨ１以上に高くなるように、搬送レール３０を乗場出入り口２４で傾斜させる。例えば、乗場出入り口２４の左右方向寸法Ｄ１が８００ｍｍであり、搬送レール３０のガイド壁３３の外側面の間隔Ｌ１が９００ｍｍである場合には、高さＨ１を幾何学的に算出される値以上の４１３ｍｍ以上とすることが好ましい。また、搬送レール３０に配置されたカウンタウェイト１３の形状によっては、乗場出入り口２４において、カウンタウェイト１３の右側面の上端Ｕ１が、下側レール本体３１ｂのガイド壁３３の外側面の上端Ｕ２より右側に位置する可能性がある。この場合には、その上端Ｕ１が上端Ｕ２に対して右側へはみ出る量を考慮して、ガイド壁３３が乗場出入り口２４に干渉しないように、搬送レール３０の左右方向Ｘに対する傾きを大きくする。
【００３１】
図９から図１２を用いて、搬送レール３０で搬送するときのカウンタウェイト１３を説明する。図９は、搬送時のカウンタウェイト１３において、案内部材を取り付けた状態を示す図である。図１０は、図９の下側から上側に見た図である。図１１は、カウンタウェイト１３において、搬送時に上側に配置される第１案内部材４０の斜視図である。図１２は、カウンタウェイト１３において、搬送時に下側に配置される第２案内部材４５の斜視図である。
【００３２】
搬送時のカウンタウェイト１３では、上端部の左右方向両端部に第１案内部材４０及び第２案内部材４５が取り付けられ、下端部の左右方向両端部にも第１案内部材４０及び第２案内部材４５が取り付けられる。
【００３３】
図９から図１１に示すように、第１案内部材４０は、取付部材４１及び第１ガイドローラ４２を含む。取付部材４１は、平板状の枠取付部４１ａと、枠取付部４１ａに対し直交する方向に連結された平板状の第１ローラ取付部４１ｂとを有する断面Ｌ字形である。
【００３４】
第１ローラ取付部４１ｂの左右方向Ｘ外側には、第１軸４３によって第１ガイドローラ４２が回転可能に支持される。枠取付部４１ａは、取付用のボルトを挿通するための複数の貫通孔Ｐを有する。
【００３５】
図２に示したように、カウンタウェイト１３の使用時において、カウンタウェイト１３の上端及び下端の左端部には、ガイドシュー２３がボルト（図示せず）で取り付けられている。このため、カウンタウェイト１３の搬送時には、枠体１４の左端部からガイドシュー２３を取り外した後で、枠体１４のガイドシュー取付用の孔を用いて、枠体１４に枠取付部４１ａをボルト及びナット（図示せず）を用いてネジ結合する。搬送時に第１ガイドローラ４２は、上側レール本体３１ａに配置され、上側レール本体３１ａの底板３２上で転がる。
【００３６】
また、図９、図１０、図１２に示すように、第２案内部材４５は、取付部材４６、第２ガイドローラ４７及び第３ガイドローラ４８を含む。取付部材４６は、平板状の枠取付部４６ａ及び第２ローラ取付部４６ｂを有する。第２ローラ取付部４６ｂは、枠取付部４６ａの左右方向Ｘ外側端部に、枠取付部４６ａに対し直交する方向に連結される。このとき、枠取付部４６ａは、第２ローラ取付部４６ｂの左右方向Ｘ内側面（図１２の左側面）の長手方向中間部に連結される。
【００３７】
第２ローラ取付部４６ｂの長手方向一端側（図１の紙面の裏側）には、第２軸４９によって第２ガイドローラ４７が回転可能に支持される。第２ローラ取付部４６ｂの長手方向他端側（図１２の紙面の表側）において、高さ方向一端部（図１２の下端部）には、平板状の第３ローラ取付部４６ｃが連結される。第３ローラ取付部４６ｃは、左右方向外側（図１２の右側）に伸びるように、第２ローラ取付部４６ｂに対し略直交する方向に連結される。第３ローラ取付部４６ｃの下側には、第３軸５０によって第３ガイドローラ４８が回転可能に支持される。
【００３８】
第２案内部材４５の枠取付部４６ａは、取付用のボルト（図示せず）を挿通するための複数の貫通孔Ｑを有する。図２に示したように、カウンタウェイト１３の使用時において、カウンタウェイト１３の上端及び下端の右端部には、ガイドシュー２３がボルト（図示せず）で取り付けられる。このため、カウンタウェイト１３の搬送時には、枠体１４の右端部からガイドシュー２３を取り外した後で、枠体１４のガイドシュー取付用の孔（図示せず）を用いて、枠体１４に枠取付部４６ａをボルト及びナット（図示せず）を用いてネジ結合する。
【００３９】
搬送時に第２ガイドローラ４７及び第３ガイドローラ４８は、下側レール本体３１ｂに配置され、下側レール本体３１ｂの底板３２上で第２ガイドローラ４７が転がり、下側レール本体３１ｂのガイド壁３３上で第３ガイドローラ４８が転がる。カウンタウェイト１３の搬送時には、下側レール本体３１ｂが上側レール本体３１ａより下側に位置するように搬送レール３０が左右方向Ｘに対し傾斜する。これにより、下側レール本体３１ｂの底板３２上で第２ガイドローラ４７が転がる場合に、第２ガイドローラ４７が底板３２上を斜め方向下側のガイド壁３３に向かって滑り落ちる可能性がある。上記の構成では、この場合でも、第３ガイドローラ４８が下側レール本体３１ｂのガイド壁３３上を滑るので、枠体１４の右端部が直接にガイド壁３３に当たってカウンタウェイト１３の搬送時の摩擦抵抗が大きくなることを防止できる。
【００４０】
カウンタウェイト１３の搬送時には、図１３に示すように、図９から図１２に示した構成とは別の案内部材が取り付けられてもよい。図１３は、案内部材の別例を示している図１０に対応する図である。
【００４１】
図１３に示す第１案内部材５１の取付部材４１は、図９から図１２に示した第１案内部材４０を形成する取付部材４１と同様の構成を有する。第１ガイドローラ４２は、取付部材４１の第１ローラ取付部４１ｂにおいて、左右方向中央側に、第１軸４３によって回転可能に支持される。
【００４２】
図１３に示す第２案内部材５３の取付部材５４は、枠取付部５４ａに略直交する方向に連結した第２ローラ取付部５４ｂを有する。第２ローラ取付部５４ｂの長手方向一方側部分（図１３の紙面の裏側部分）において、左右方向Ｘ外側に、平板状の第３ローラ取付部５４ｃが連結される。第２ローラ取付部５４ｂの長手方向他方側部分（図１３の紙面の表側部分）において、左右方向Ｘ中央側には、第２軸４９によって第２ガイドローラ４７が回転可能に支持される。そして、カウンタウェイト１３の上端部と下端部とのそれぞれにおいて、第１ガイドローラ４２と第２ガイドローラ４７とが枠体１４の長手方向（図１３の紙面の表裏方向）においてほぼ同じ位置に配置される。また、第３ローラ取付部５４ｃの下側には、第３軸５０によって第３ガイドローラ４８が回転可能に支持される。図１３において、その他の構成は、図９から図１２の構成と同様である。
【００４３】
図１、図１４、図１５を用いて、カウンタウェイト１３を昇降路１１内と乗場２２との間で搬送する搬送方法を説明する。まず、既設のカウンタウェイト１３を昇降路１１内から乗場２２に搬出する搬出方法を説明する。
【００４４】
この搬出方法は、準備ステップと、誘導ステップとを有する。「準備ステップ」では、図１に示すように、エレベータ１０の乗りかご１７を最上階の近くの適当な位置で停止させる。そして、作業者が、乗りかご１７の下側に取り付けられている非常停止装置（図示せず）を手動で作動状態に設定し、乗りかご１７を少しだけ下側に運転することでその非常停止装置を作動させる。非常停止装置は、その作動によって、かごガイドレール２０を挟んで乗りかご１７の上下方向の移動を阻止する。
【００４５】
そして、エレベータ１０の機械室１８に配置されている既設のマシンビーム等の基台２５上にＨ鋼等の揚重用鋼材２６を設置する。その後、揚重用鋼材２６を固定部分として用い、揚重用鋼材２６に電動チェーンブロック等の揚重装置１２を吊り下げてもよい。また、昇降路１１内のカウンタレール２１の固定ブラケットに揚重装置１２を吊り下げてもよい。そして、カウンタウェイト１３の上端部を揚重装置１２で固定部分に対し吊り下げることで、カウンタウェイト１３を揚重装置１２で固定部分に接続する。このとき、昇降路１１内において、機械室１８の下側で機械室１８の近くに作業ステージＳを組んで揚重装置１２の取付作業を行ってもよい。なお、この作業ステージＳは省略してもよい。また、揚重装置１２でカウンタウェイト１３を吊り下げる場合に、昇降路１１内に足場を組んで、足場に乗った作業者がカウンタウェイト１３と揚重装置１２との接続作業を行ってもよい。この足場は、カウンタウェイト１３の錘を運ぶためには用いないので、簡易な足場とすることができる。
【００４６】
そして、主ロープ１６が撓むようになるまで、揚重装置１２でカウンタウェイト１３を少しだけ引き上げて、その状態で主ロープ１６をカウンタウェイト１３の上端部から取り外す。その後、カウンタウェイト１３の左右方向両端部で上端部及び下端部の４個所位置に取り付けられているガイドシュー２３（図２）を取り外す。そして、カウンタウェイト１３の左端部の上端部及び下端部には第１案内部材４０（図９）を取り付け、右端部の上端部及び下端部には第２案内部材４５（図９）を取り付ける。
【００４７】
次いで、搬送レール３０の上端部をカウンタレール２１にレール固定部３６で固定し、搬送レール３０の下端部を乗場２２の床面に配置する。このとき、床面と搬送レール３０の下端部とを結合しないので、その結合に要する手間が生じない。なお、搬送レール３０の設置作業は、カウンタウェイト１３を揚重装置１２で吊り下げる前に行ってもよい。
【００４８】
次に、「誘導ステップ」では、図１４に示すように、カウンタウェイト１３が揚重装置１２に接続され、搬送レール３０のレール本体３１ａ、３１ｂにカウンタウェイト１３の各ガイドローラが乗った状態とする。そして、この状態で、カウンタウェイト１３を昇降路１１内から乗場２２側へ誘導する。
【００４９】
以下、揚重装置１２が電動チェーンブロック１２である場合での誘導ステップを、具体的に説明する。図１４に示すように、作業者（図示せず）が電動チェーンブロック１２のチェーンを伸ばすことで徐々にカウンタウェイト１３を下ろし、かつ、カウンタウェイト１３を搬送レール３０のレール本体３１ａ、３１ｂに乗せる。このとき、第１ガイドローラ４２及び第２ガイドローラ４７（図９）を上側レール本体３１ａ及び下側レール本体３１ｂの底板３２に乗せ、第３ガイドローラ４８（図９）を下側レール本体３１ｂのガイド壁３３に対面させる。そして、図１５に示すように電動チェーンブロック１２のチェーンをさらに伸ばして、各ガイドローラがレール本体３１ａ、３１ｂ上で転がるように、作業者がカウンタウェイト１３をレール本体３１ａ、３１ｂに沿って昇降路１１内から乗場２２側へ誘導する。このとき、乗場出入り口２４では、カウンタウェイト１３が左右方向Ｘに対し傾斜した状態で搬出される。
【００５０】
図１５に示すように乗場２２にカウンタウェイト１３が出された状態では、作業者が、足場が安定した状態で、単独で、または複数人で枠体１４から錘１５を１つずつ取り出す。そして、すべての錘１５を枠体１４から取り外した後に、枠体１４を搬送する。このとき、枠体１４を解体してから搬送してもよい。
【００５１】
上記の搬送レール３０及びカウンタウェイト搬送方法は、カウンタウェイト１３を昇降路１１内と乗場２２との間で搬送するときに、昇降路１１内でカウンタウェイト１３の枠体１４から錘１５を取り外した状態で搬送する必要がない。これにより、昇降路１１内で枠体１４が吊り下げられた状態で、枠体１４から錘１５を取り外したり、枠体１４に錘１５を組み込む必要がない。また、枠体１４を乗場出入り口２４に通すときに、枠体１４は搬送レール３０に沿って傾くので、作業者が手作業で枠体１４を傾ける必要がない。このため、カウンタウェイト１３の搬送作業時の安全性及び作業効率を向上させることができる。
【００５２】
また、搬送レール３０の上端部は、カウンタウェイト１３からガイドシュー２３を取り外した後に、カウンタレール２１に特別な加工を施すことなくクリップ部材３８を用いてカウンタレール２１に固定することができる。このため、作業効率をより向上させることができる。
【００５３】
なお、上記では、カウンタウェイト搬送方法として、搬送レール３０を用いて既存のカウンタウェイト１３を昇降路１１内から乗場２２に搬出する搬出方法を説明した。一方、カウンタウェイト搬送方法として、新規のカウンタウェイトを乗場２２から昇降路１１内に搬入する搬入方法において、搬送レール３０を用いることもできる。具体的には、搬入方法は、準備ステップと、誘導ステップとを含む。「準備ステップ」では、乗場２２において、枠体１４にすべての必要な錘１５を一体化したカウンタウェイト１３を用意する。そして、カウンタウェイト１３の左右方向両端部で、上端部と下端部とに案内部材を取り付ける。また、搬送レール３０の上端部をカウンタレール２１に固定し、搬送レール３０の下端部を乗場２２の床面に配置する。また、カウンタウェイト１３を揚重装置１２で固定部分に接続する。そして、「誘導ステップ」では、カウンタウェイト１３が揚重装置１２に接続され、搬送レール３０のレール本体３１ａ、３１ｂ上にカウンタウェイト１３の案内部材を構成するガイドローラが乗った状態とする。そしてこの状態で、ガイドレール上でガイドローラが転がるように、カウンタウェイト１３をレール本体３１ａ、３１ｂに沿って乗場２２から昇降路１１内へ誘導する。これにより、カウンタウェイト１３が昇降路１１内へ搬入される。
【００５４】
カウンタウェイト１３の昇降路１１内への搬入後、揚重装置１２でカウンタウェイト１３をカウンタレール２１の所定位置まで引き上げて、その状態でカウンタウェイト１３から案内部材を取り外す。
【００５５】
そして、カウンタウェイト１３の上端部と下端部とにガイドシューを取り付けて２本のカウンタレール２１にカウンタウェイト１３を昇降可能に支持する。その後、一端に乗りかご１７が接続された主ロープ１６の他端を、カウンタウェイト１３の上部に接続した後に、揚重装置１２とカウンタウェイト１３との接続を切り離す。これにより、カウンタウェイト１３が主ロープ１６で乗りかご１７に接続される。
【００５６】
上記の搬入方法でも、搬出方法と同様に、カウンタウェイト１３を昇降路１１内と乗場２２との間で搬送するときに、昇降路１１内でカウンタウェイト１３の枠体１４から錘１５を取り外した状態で搬送する必要がない。このため、カウンタウェイト１３の搬送作業時の安全性及び作業効率を向上させることができる。
【００５７】
また、上記では、搬送レール３０において、乗場出入り口２４で右側のレール本体３１ａが左側のレール本体３１ｂよりも下側に位置するように水平方向に対し傾斜した場合を説明した。一方、水平方向に対し搬送レール３０が傾斜する方向は、図１から図１５に示した構成とは逆にしてもよい。
【符号の説明】
【００５８】
１０  エレベータ、１１  昇降路、１１ａ  ピット、１２  揚重装置（電動チェーンブロック）、１３  カウンタウェイト、１４  枠体、１５  錘、１６  主ロープ、１７  乗りかご、１８  機械室、１９  巻き上げ機、２０  かごガイドレール、２１  カウンタレール、２１ａ  板部、２２  乗場、２３  ガイドシュー、２４  乗場出入り口、２５  基台、２６  揚重用鋼材、３０  搬送レール、３１ａ，３１ｂ  レール本体、３２  底板、３３  ガイド壁、３５  柱部、３６  レール固定部、３７  板部、３８  クリップ部材、４０  第１案内部材、４１  取付部材、４２  第１ガイドローラ、４３  第１軸、４５  第２案内部材、４６  取付部材、４７  第２ガイドローラ、４８  第３ガイドローラ、４９  第２軸、５０  第３軸、５１  第１案内部材、５３  第２案内部材、５４  取付部材、６０ａ，６０ｂ  緩衝材、６１  支持柱。
【図１】
2017124888.tif 000003
【図２】
2017124888.tif 000004
【図３Ａ】
2017124888.tif 000005
【図３Ｂ】
2017124888.tif 000006
【図４】
2017124888.tif 000007
【図５】
2017124888.tif 000008
【図６】
2017124888.tif 000009
【図７】
2017124888.tif 000010
【図８】
2017124888.tif 000011
【図９】
2017124888.tif 000012
【図１０】
2017124888.tif 000013
【図１１】
2017124888.tif 000014
【図１２】
2017124888.tif 000015
【図１３】
2017124888.tif 000016
【図１４】
2017124888.tif 000017
【図１５】
2017124888.tif 000018